(57)【要約】【課題】放送番組と蓄積コンテンツから、ユーザが見るべきコンテンツを推薦する。【解決手段】現在よりも未来に放送される番組ごとに第１の番組情報を取得する取得手段１０１と、過去に放送された番組ごとに第２の番組情報を対応付けて番組を蓄積している蓄積手段１０６と、前記第１の番組情報及び前記第２の番組情報に応じて、どの程度早く視聴すべきかを示す緊急度を番組ごとに計算する緊急度計算手段１０３と、前記取得した番組情報に対応する番組と、前記蓄積されている番組とのうちから、前記緊急度の大きさに基づいて、視聴すべき番組の推薦リストを提示する提示手段１１０を具備する。【選択図】      図１
2007074545.tif 000002
【特許請求の範囲】
【請求項１】
現在よりも未来に放送される番組ごとに第１の番組情報を取得する取得手段と、
過去に放送された番組ごとに第２の番組情報を対応付けて番組を蓄積している蓄積手段と、
前記第１の番組情報及び前記第２の番組情報に応じて、どの程度早く視聴すべきかを示す緊急度を番組ごとに計算する緊急度計算手段と、
前記取得した番組情報に対応する番組と、前記蓄積されている番組とのうちから、前記緊急度の大きさに基づいて、視聴すべき番組の推薦リストを提示する提示手段を具備することを特徴とする視聴推薦装置。
【請求項２】
前記緊急度計算手段は、前記番組情報に含まれている対応する番組のジャンル名に応じて前記緊急度を計算し、
前記提示手段は、前記取得した番組情報に対応する番組と、前記蓄積されている番組とのうちから、前記緊急度の大きさ順に番組を並び替えた推薦リストを提示することを特徴とする請求項１に記載の視聴推薦装置。
【請求項３】
前記取得した番組情報に基づいて、どの程度録画すべきかを示す録画推薦スコアを番組ごとに計算する録画推薦スコア計算手段をさらに具備し、
前記提示手段は、前記緊急度と前記録画推薦スコアとに基づいて、前記取得した番組情報に対応する番組と、前記蓄積されている番組とのうちから、視聴すべき番組順に番組を並び替えた推薦リストを提示することを特徴とする請求項１または請求項２に記載の視聴推薦装置。
【請求項４】
前記録画推薦スコア計算手段は、前記取得した番組情報に、予め指定してあるキーワードが記述してあるか、又は、前記番組情報に含まれている対応する番組のジャンル名の少なくともいずれかに基づいて前記録画推薦スコアを計算することを特徴とする請求項３に記載の視聴推薦装置。
【請求項５】
前記取得した番組情報に基づいて、放送時刻からの経過時間に依存する視聴価値を示す視聴期限指数を前記番組ごとに計算する指数計算手段をさらに具備し、
前記提示手段は、前記緊急度と前記録画推薦スコアと前記視聴期限指数に基づいて、前記取得した番組情報に対応する番組と、前記蓄積されている番組とのうちから、視聴すべき番組順に番組を並び替えた推薦リストを提示することを特徴とする請求項１から請求項４のいずれか１項に記載の視聴推薦装置。
【請求項６】
前記指数計算手段は、まだ放送していない番組については視聴期限指数をある定数に設定し、前記蓄積手段に蓄積されている番組については該番組のジャンル名に基づいて前記視聴期限指数を計算することを特徴とする請求項５に記載の視聴推薦装置。
【請求項７】
前記蓄積手段に格納されている番組のうち、番組の視聴期限指数が予め設定されたある値よりも小さい場合には、前記蓄積手段から該番組を消去する消去手段をさらに具備することを特徴とする請求項１から請求項６のいずれか１項に記載の視聴推薦装置。
【請求項８】
現在よりも未来に放送される番組ごとに第１の番組情報を取得し、
過去に放送された番組ごとに第２の番組情報を対応付けて番組を蓄積している蓄積手段を用意し、
前記第１の番組情報及び前記第２の番組情報に応じて、どの程度早く視聴すべきかを示す緊急度を番組ごとに計算し、
前記取得した番組情報に対応する番組と、前記蓄積されている番組とのうちから、前記緊急度の大きさに基づいて、視聴すべき番組の推薦リストを提示することを特徴とする視聴推薦方法。
【請求項９】
前記緊急度を計算することは、前記番組情報に含まれている対応する番組のジャンル名に応じて前記緊急度を計算することであり、
前記推薦リストを提示することは、前記取得した番組情報に対応する番組と、前記蓄積されている番組とのうちから、前記緊急度の大きさ順に番組を並び替えた推薦リストを提示することであることを特徴とする請求項８に記載の視聴推薦方法。
【請求項１０】
前記取得した番組情報に基づいて、どの程度録画すべきかを示す録画推薦スコアを番組ごとに計算することをさらに具備し、
前記推薦リストを提示することは、前記緊急度と前記録画推薦スコアとに基づいて、前記取得した番組情報に対応する番組と、前記蓄積されている番組とのうちから、視聴すべき番組順に番組を並び替えた推薦リストを提示することであることを特徴とする請求項８または請求項９に記載の視聴推薦方法。
【請求項１１】
前記録画推薦スコアを計算することは、前記取得した番組情報に、予め指定してあるキーワードが記述してあるか、又は、前記番組情報に含まれている対応する番組のジャンル名の少なくともいずれかに基づいて前記録画推薦スコアを計算することであることを特徴とする請求項１０に記載の視聴推薦方法。
【請求項１２】
前記取得した番組情報に基づいて、放送時刻からの経過時間に依存する視聴価値を示す視聴期限指数を前記番組ごとに計算することをさらに具備し、
前記推薦リストを提示することは、前記緊急度と前記録画推薦スコアと前記視聴期限指数に基づいて、前記取得した番組情報に対応する番組と、前記蓄積されている番組とのうちから、視聴すべき番組順に番組を並び替えた推薦リストを提示することであることを特徴とする請求項８から請求項１１のいずれか１項に記載の視聴推薦方法。
【請求項１３】
前記視聴期限指数を計算することは、まだ放送していない番組については視聴期限指数をある定数に設定し、前記蓄積手段に蓄積されている番組については該番組のジャンル名に基づいて前記視聴期限指数を計算することであることを特徴とする請求項１２に記載の視聴推薦方法。
【請求項１４】
前記蓄積手段に格納されている番組のうち、番組の視聴期限指数が予め設定されたある値よりも小さい場合には、前記蓄積手段から該番組を消去することをさらに具備することを特徴とする請求項８から請求項１３のいずれか１項に記載の視聴推薦方法。
【発明の詳細な説明】
【技術分野】
【０００１】
本発明は、多チャンネルの放送番組を視聴可能であり、かつ過去の放送番組を蓄積できるＨＤＤ（Hard Disk Drive）等のストレージデバイスを備えたＴＶ受信／蓄積／再生システムにおいて、放送番組と、蓄積したコンテンツ（蓄積番組）とから、ユーザに視聴すべき番組を推薦する視聴推薦装置及び方法に関する。
【背景技術】
【０００２】
近年、従来の地上波ＴＶ放送に加えてＢＳ／ＣＳ放送が普及し、本格的な多チャンネル時代を迎えている。従来、見るべき番組の検索は、新聞テレビ欄や番組情報誌を閲覧することによって行われていたが、このような方法では見たい番組を見逃す危険が極めて高い状況であり、放送波から提供される電子番組表（ＥＰＧ：Electronic Program Guide）や、それをインターネット上で閲覧可能としたＷＷＷサイト（ｉＥＰＧ）を使い、そこで提供されているジャンルやキーワードベースの検索機能を用いて番組の検索を行うようになっている。一部のｉＥＰＧサイトでは、あらかじめ登録したジャンルやキーワードにマッチする番組を電子メールで通知するプッシュ型の機能も実現されている。
【０００３】
また、多チャンネル化と時期を同じくして、従来のＶＴＲに代りＨＤＤ等の大容量ストレージを搭載した録画機が普及してきている。一般家庭における録画機の役割は、（１）すでに視聴した番組を後日、再度視聴するためのアーカイバと、（２）放送時に、不在、番組競合、他の作業への従事等の理由で視聴できない番組を一時的に蓄積する、という２つが考えられるが、大容量ストレージを搭載した新型録画機においては、テープ交換が不要という手軽さと、ＶＴＲに比べて極めて高い録画品質を持っていることにより、特に上記（２）の役割において大きな変化を産み出しつつある。すなわち、ＶＴＲの時代には「放送時に見ることのできない番組を仕方なく蓄積する」という消極的な利用だったのに対し、「放送時より都合の良い時間に視聴するため蓄積する」という積極的な利用スタイルが定着しつつある。
【０００４】
これらの技術を用いれば自動録画機能を自明に実現することができ、既に製品が発売されている。すなわち、あらかじめジャンルやキーワードを登録しておき、それにマッチする番組を自動的に録画するというものである。また、明示的なジャンルやキーワードの登録なしに、ユーザが手動録画予約した履歴を分析することにより、ユーザが興味を持っていると思われるジャンルやキーワードを推測し、それに基づいて自動録画を行う製品もある。
【０００５】
また、ユーザの嗜好への適合性、時間に依存する情報価値及び蓄積の経済性に配慮して優先度を付け、ユーザの嗜好に合った情報を自動的に蓄積する装置がある（例えば、特許文献１参照）。
【特許文献１】特開平１１−１９６３８９号公報
【発明の開示】
【発明が解決しようとする課題】
【０００６】
しかし、従来の番組推薦機能は、基本的に録画支援機能であり、大量の放送番組からストレージデバイスにキープすべきものを選び出す助けにはなっているが、一度蓄積されたコンテンツに対して、どれからどの順番で見るべきかに関する支援はない。支援機能としては、例えば、ジャンル別ソート、録画日時順ソート、録画推薦スコア順ソートなどがあるが、これらは蓄積コンテンツの自明な一覧の表示法に過ぎない。
【０００７】
また、放送番組と蓄積コンテンツを同列に評価して、ユーザがこれから見るものを選ぶ方法は提供されていない。端的に言えば、多チャンネルから大量に流れてくる放送ＴＶ番組と、大容量ＨＤＤに大量に蓄積されたコンテンツから、「今」どれを見るべきなのかがユーザにはわからない。
【０００８】
本発明は、このような事情を鑑みてなされたもので、放送番組と蓄積コンテンツから、ユーザが見るべきコンテンツを推薦する視聴推薦装置及び方法を提供することを目的とする。
【課題を解決するための手段】
【０００９】
上述の課題を解決するため、本発明の視聴推薦装置は、現在よりも未来に放送される番組ごとに第１の番組情報を取得する取得手段と、過去に放送された番組ごとに第２の番組情報を対応付けて番組を蓄積している蓄積手段と、前記第１の番組情報及び前記第２の番組情報に応じて、どの程度早く視聴すべきかを示す緊急度を番組ごとに計算する緊急度計算手段と、前記取得した番組情報に対応する番組と、前記蓄積されている番組とのうちから、前記緊急度の大きさに基づいて、視聴すべき番組の推薦リストを提示する提示手段を具備することを特徴とする。
【００１０】
本発明の視聴推薦方法は、現在よりも未来に放送される番組ごとに第１の番組情報を取得し、過去に放送された番組ごとに第２の番組情報を対応付けて番組を蓄積している蓄積手段を用意し、前記第１の番組情報及び前記第２の番組情報に応じて、どの程度早く視聴すべきかを示す緊急度を番組ごとに計算し、前記取得した番組情報に対応する番組と、前記蓄積されている番組とのうちから、前記緊急度の大きさに基づいて、視聴すべき番組の推薦リストを提示することを特徴とする。
【発明の効果】
【００１１】
本発明の視聴推薦装置及び方法によれば、放送番組と蓄積コンテンツから、ユーザが見るべきコンテンツを推薦することができる。
【発明を実施するための最良の形態】
【００１２】
以下、図面を参照しながら本発明の実施形態に係る視聴推薦装置及び方法について詳細に説明する。  
まず、本実施形態に係る視聴推薦装置及び方法の重要な点について簡単に説明する。本実施形態の視聴推薦装置は、放送番組及び蓄積コンテンツ（「蓄積コンテンツ」は図の「蓄積番組」に対応する）のジャンル等に基づいて、録画推薦指標とは異なり、原放送時刻からの経過時間に依存して決定される１つ以上の視聴推薦指標を放送番組及び蓄積コンテンツに付加する。視聴推薦指標は、例えば、番組ジャンルごとに決められる至急視聴緊急度であり、ニュースやスポーツに関しては大きく、連続ドラマに関してはやや大きく、その他に関しては中程度、であるべきという知識を数値化したものである。また、別の視聴推薦指標は、番組ジャンルごとに決められる放送番組及び蓄積コンテンツの視聴期限（蓄積コンテンツの場合、蓄積コンテンツを視聴することの実質的意味が失われるまでの期間や、失われる日限）であり、定時ニュース番組であれば２４時間などである。  
本実施形態の視聴推薦装置は、上記の視聴推薦指標の任意の組み合わせ、または、録画推薦指標と上記の視聴推薦指標との組み合わせを主に用いることにより、特定の時刻（視聴推薦要求時刻）に見るべき放送番組または蓄積コンテンツを推薦する。放送番組に対しては、放送時刻を視聴推薦要求時刻とした上記至急視聴緊急度、あるいはそれと録画推薦指標との組み合わせ主に用い、蓄積コンテンツに対しては視聴期限を用いることにより、放送番組と蓄積コンテンツの混在した視聴推薦リストを提示する。また、視聴期限に基づき、蓄積コンテンツの消去を蓄積装置に対して推薦し、ストレージの有効利用を図る。
【００１３】
次に、本実施形態の視聴推薦装置の構成について図１を参照して説明する。図１は、本発明の実施形態に係る視聴推薦装置のブロック図である。  
本実施形態の視聴推薦装置は、ＥＰＧ取得部１０１、録画推薦スコア計算部１０２、至急視聴要求度計算部１０３、番組視聴期間計算部１０４、蓄積番組用視聴推薦スコア計算部１０５、視聴推薦スコアつき蓄積番組ＤＢ（Data Base）１０６、消去推薦部１０７、放送番組用視聴推薦スコア計算部１０８、視聴推薦スコアつきＥＰＧ ＤＢ１０９、統合推薦リスト計算部１１０、制御部１１１を備えている。なお、図１には明示していないが、本実施形態の視聴推薦装置は、何らかの録画推薦指標が存在し、その指標に基づき自動で、又は手動で大容量ストレージに過去の蓄積コンテンツが既に蓄積され、また放送番組も大量に視聴することができるものである。
【００１４】
ＥＰＧ取得部１０１は、地上波デジタル放送、ＢＳ／ＣＳ放送、有線放送、インターネットなどを利用してＥＰＧを取得する。ＥＰＧ取得部１０１は、例えば、１日に１回定期的にＥＰＧを取得しこの場合は２４時間分のＥＰＧを取得する。ＥＰＧは、番組開始時刻、番組終了時刻、番組タイトル、番組内容などが記述されている。
【００１５】
録画推薦スコア計算部１０２は、取得したＥＰＧに含まれている各放送番組について録画推薦スコア（Ｒ）を計算する。録画推薦スコア（Ｒ）は、キーワードが各放送番組内容を記述した文章中に存在するかどうかによって定まる。例えば、ある特定のキーワードが放送番組内容に記載されている場合にはこの放送番組はＲ＝１であるとし、記載されていない場合にはこの放送番組はＲ＝０であるとする。キーワードは、予めユーザがデータベース（図示せず）に登録しておいてもよい。また、録画推薦スコア計算部１０２（又は制御部１１１）が、ユーザの視聴履歴をデータベースに記憶させて、その視聴履歴を参照して最も多く出現する単語をキーワードとして採用してもよい。  
また、録画推薦スコア計算部１０２は、ＥＰＧに含まれている各放送番組のジャンルを参照して録画推薦スコア（Ｒ）を付与してもよい。この場合、録画推薦スコア（Ｒ）は、あるジャンルに各放送番組のジャンルが一致するかどうかによって定まる。例えば、ある特定のジャンルが放送番組のジャンルと一致する場合にはこの放送番組はＲ＝０．９であるとし、一致しない場合にはこの放送番組はＲ＝０．１であるとする。  
さらに、録画推薦スコア計算部１０２は、キーワードによって算出したスコア値とジャンルによって算出したスコア値の積を取ったものを録画推薦スコア（Ｒ）としてもよい。上述した例では、例えば、キーワードが放送番組内容に記載されていて、あるジャンルに各放送番組のジャンルが一致する場合にはこの放送番組はＲ＝１×０．９＝０．９、キーワードが放送番組内容に記載されていて、あるジャンルに各放送番組のジャンルが一致しない場合にはこの放送番組はＲ＝１×０．１＝０．１となる。  
なお、録画推薦スコア計算部１０２は、キーワードの記述を調査する場合、ジャンルが一致するかを調査する場合には、例えば、同義語辞典のデータベース（図示せず）を参照して、用意されたキーワード、ジャンル名と同一とみなすことができる単語を調べ、同一とみなせる単語からなるキーワード、ジャンル名により、録画推薦スコア（Ｒ）を計算してもよい。
【００１６】
至急視聴要求度計算部１０３は、取得したＥＰＧに含まれている各放送番組について至急視聴緊急度（Ｉｍ）を計算する。至急視聴緊急度（Ｉｍ）は、放送番組が放送された放送時刻からの経過時間とは無関係に、どの程度早く見るべきかを示す数値であり、例えば、０＜Ｉｍ≦１である。至急視聴要求度計算部１０３は、ＥＰＧに含まれている各放送番組に対応して付与されているジャンル名に応じて至急視聴緊急度（Ｉｍ）を計算する。  
例えば、すぐに見るべき放送番組は１、これに較べればすぐ見なくてもよいが比較的早く見るべき放送番組は０．８、放送時からの経過時間によって番組内容の価値が不変と思われる放送番組は０．７のように事前に値を決めた表を作成しておく。ここで、例えば、すぐに見るべき放送番組は、ニュース番組、スポーツ中継番組があるし、比較的早く見るべき放送番組は、連続ドラマがある。また、番組内容の時間経過による価値が不変と思われる放送番組は、映画番組、教養番組がある。  
至急視聴要求度計算部１０３は、取得したＥＰＧに含まれている各放送番組のジャンルと、このような事前に値を決めた表とを参照して、各放送番組の至急視聴緊急度（Ｉｍ）を計算する。  
なお、至急視聴要求度計算部１０３は、録画推薦スコア計算部１０２と同様に、ジャンルが一致するかを調査する場合には、例えば、同義語辞典のデータベース（図示せず）を参照して、ジャンル名と同一とみなすことができる単語を調べ、同一とみなせる単語からなるジャンル名により、至急視聴緊急度（Ｉｍ）を計算してもよい。
【００１７】
番組視聴期間計算部１０４は、取得したＥＰＧに含まれている各放送番組について視聴期限指数（Ｅ）を計算する。視聴期限指数（Ｅ）は、放送時刻からの経過時間に依存して決定されるものであり、例えば、０＜Ｅ≦１なる数値であり大きいほど放送番組の視聴価値が高いことを意味する。番組視聴期間計算部１０４は、ＥＰＧを取得した時点で視聴期限指数（Ｅ）を計算するが、取得したＥＰＧに含まれる全ての放送番組について、初期値として視聴期限指数（Ｅ）は１とする。すなわち、まだ放送していない放送番組については、視聴期限指数（Ｅ）は１である。
【００１８】
番組視聴期間計算部１０４は、蓄積済及び録画中の蓄積コンテンツに関しては、Ｅを再計算する。番組視聴期間計算部１０４は、この再計算をする場合には、ＥＰＧに含まれるジャンル情報を参照して、既にジャンルごとに決定されている計算式にしたがって視聴期限指数（Ｅ）を計算する。このジャンルごとに決定されている計算式は、例えば、放送日をｄ*、今日をｄとし、１日１回定時にＥＧＰを取得する場合には、  
ニュース：  Ｅ＝１／（ｄ−ｄ*＋１）2 
スポーツ：  Ｅ＝ｍａｘ（（ｄ*−ｄ）／５＋１，０．０１）  
映画    ：  Ｅ＝１
その他  ：  Ｅ＝ｍａｘ（（ｄ*−ｄ）／３０＋１，０．１）  
のように決めれば良い。この例のように、新鮮度が重要な蓄積コンテンツほど、時間の経過とともに急激に視聴期限指数（Ｅ）は小さくなる。また、新鮮度が変らないと想定される蓄積コンテンツは、視聴期限指数（Ｅ）は時間に関して不変になる。  
また、このジャンルごとに決定されている計算式は、ＥＰＧ取得部１０１がＥＧＰを取得する時間間隔によって変更する必要がある。例えば、１日に２回以上、ＥＰＧ取得部１０１がＥＧＰを取得する場合には、ジャンルごとに決定されている計算式に時刻を変数として含める必要がある。
【００１９】
蓄積番組用視聴推薦スコア計算部１０５は、録画推薦スコア計算部１０２、至急視聴要求度計算部１０３、番組視聴期間計算部１０４のそれぞれで計算された、録画推薦スコア（Ｒ）、至急視聴緊急度（Ｉｍ）、視聴期限指数（Ｅ）を蓄積コンテンツごとに入力して、これらの効果を組み合わせて蓄積コンテンツごとに視聴推薦スコア（Ｖ）を計算する。視聴推薦スコア（Ｖ）が大きい蓄積コンテンツほど、ユーザが今見るべき度合いが高い蓄積コンテンツであることを示す。視聴推薦スコア（Ｖ）は、例えば、  
Ｖ＝Ｒ・Ｉｍ・Ｅ  
である。行いたい推薦の志向により、録画推薦スコア（Ｒ）、至急視聴緊急度（Ｉｍ）、視聴期限指数（Ｅ）のそれぞれに重み付けをしたり、非線形化を施してもよい。例えば、Ｖ＝Ｒ２・１０・Ｉｍ・Ｅ１／２としてもよい。
【００２０】
視聴推薦スコアつき蓄積番組ＤＢ１０６は、蓄積番組用視聴推薦スコア計算部１０５が計算した視聴推薦スコア（Ｖ）と、このスコアの対象である蓄積コンテンツとを対応付けて格納する。
【００２１】
消去推薦部１０７は、視聴推薦スコアつき蓄積番組ＤＢ１０６に格納されている蓄積コンテンツと視聴推薦スコア（Ｖ）とのうち、不要になったものを視聴推薦スコアつき蓄積番組ＤＢ１０６から消去するようにユーザに促す。格納されている蓄積コンテンツが不要であるかどうかは、視聴期限指数（Ｅ）に基づいて決定される。予めある値Ｅｔｈ（上記の例の場合は、０＜Ｅｔｈ＜１を満たす）を設定し、視聴期限指数（Ｅ）の消去推薦部１０７がこのＥｔｈと各蓄積コンテンツに対応付けてある視聴期限指数（Ｅ）とを比較し、視聴期限指数（Ｅ）がＥｔｈよりも小さい場合にはこの指数をもつ蓄積コンテンツを消去するようにユーザに促す。また、消去推薦部１０７は、ユーザに消去を促すことなく、この不要な蓄積コンテンツと、対応付けられている視聴推薦スコア（Ｖ）とを自動的に消去してもよい。
【００２２】
放送番組用視聴推薦スコア計算部１０８は、録画推薦スコア計算部１０２、至急視聴要求度計算部１０３のそれぞれで計算された、録画推薦スコア（Ｒ）、至急視聴緊急度（Ｉｍ）を放送番組ごとに入力して、これらの効果を組み合わせて放送番組ごとに視聴推薦スコア（Ｖ）を計算する。この視聴推薦スコア（Ｖ）は蓄積番組用視聴推薦スコア計算部１０５で計算した視聴推薦スコア（Ｖ）でＥ＝１の場合である。放送番組用視聴推薦スコア計算部１０８で扱う放送番組は、全て未来の番組についてであるので、視聴期限指数（Ｅ）は１に設定する。
【００２３】
視聴推薦スコアつきＥＰＧ ＤＢ１０９は、放送番組用視聴推薦スコア計算部１０８が計算した視聴推薦スコア（Ｖ）と、このスコアの対象である放送番組とを対応付けて格納する。視聴推薦スコアつきＥＰＧ ＤＢ１０９が格納する情報は、ＥＰＧ取得部１０１がＥＰＧを取得するごとにアップデートされる。
【００２４】
統合推薦リスト計算部１１０は、ユーザからの、推薦放送番組または推薦蓄積コンテンツの提示を要求した指示を受け付け、この指示を受け付けた時点で、視聴推薦スコアつきＥＰＧ ＤＢ１０９を参照して現在から近い未来（例えば、本日中）にかけて放送される放送番組から視聴推薦スコア（Ｖ）の高い順番に、放送番組を視聴推薦スコア（Ｖ）とともに取得する。さらに、統合推薦リスト計算部１１０は、視聴推薦スコアつき蓄積番組ＤＢ１０６から視聴推薦スコア（Ｖ）の高い順番に、蓄積コンテンツを視聴推薦スコア（Ｖ）とともに取得する。そして、統合推薦リスト計算部１１０は、視聴推薦スコアつき蓄積番組ＤＢ１０６と視聴推薦スコアつきＥＰＧ ＤＢ１０９とか取得した放送番組と蓄積コンテンツのうちから視聴推薦スコア（Ｖ）が高い順番にリスト（統合視聴推薦リスト。「放送・蓄積番組混合推薦リスト」とも呼ぶ）を作成し、ユーザに提示する。当然ながら、ユーザに提示する放送番組と蓄積コンテンツの数等は設計事項であり、適宜変更可能である。  
制御部１１１は、視聴推薦装置の各部を制御するためのものであるが、例えば、取得したＥＰＧに含まれる放送番組から録画推薦スコア（Ｒ）が高い放送番組を自動的に録画する。また、録画するかしないかの指標として録画推薦スコア（Ｒ）のしきい値Ｒｔｈを予め設定しておき、録画推薦スコア計算部１０２がある放送番組に対して計算した録画推薦スコア（Ｒ）の値がＲｔｈを超えている場合は、制御部１１１が自動的にこの放送番組を録画するようにしてもよい。
【００２５】
次に、本実施形態の視聴推薦装置をユーザが利用する場合の操作について図２を参照して説明する。  
統合推薦リスト計算部１１０が、ユーザからの視聴推薦要求を受け付ける（ステップＳ２１）。視聴推薦要求とは、ユーザが現在最も視聴すべきと想定される放送番組または蓄積コンテンツをユーザに知らせるためのリストをユーザに提示するためのものである。視聴推薦要求は、例えば、リモコンのあるボタンの押し下げなどユーザの明示的な操作によって生成されても良いし、前の推薦放送番組または前の推薦蓄積コンテンツの終了などのイベントに伴って自動的に生成されても良い。
【００２６】
次に、統合推薦リスト計算部１１０が、ステップＳ２１の視聴推薦要求を受け付けた時点で、ユーザが視聴すべき番組が蓄積コンテンツ、放送中の番組、及び、近い未来（例えば、３０分以内）に放送開始の番組の中から推薦し、典型的にはリスト（統合視聴推薦リスト）の形でユーザに提示する（ステップＳ２２）。
【００２７】
ユーザはリストから放送番組または蓄積コンテンツを選択（ステップＳ２３）し、選択された、放送番組または蓄積コンテンツが蓄積コンテンツであるか放送中番組であるか放送前番組であるかにより、視聴推薦装置は適切な処理を行う（ステップＳ２４）。選択された、放送番組または蓄積コンテンツが蓄積コンテンツか放送中番組か放送前番組かのそれぞれの場合に対応して、再生／タイムシフト再生／視聴予約という処理を行う。なお、この詳細に関しては、視聴推薦装置に自動録画機能があるかどうかにより変化しうる。ステップＳ２３、Ｓ２４では、制御部１１１が処理を制御する。
【００２８】
次に、本実施形態の視聴推薦装置が統合推薦リストを生成する場合の処理の流れについて図３を参照して説明する。  
ここでは、ＥＰＧの情報に加え、視聴推薦装置の計算する、放送番組または蓄積コンテンツごとの様々な属性値を保持できるデータベース（図示せず）があるものとする。また、手動／自動録画された蓄積コンテンツのそれらのメタ情報は、消去推薦部１０７が視聴推薦スコアつき蓄積番組ＤＢ１０６から蓄積コンテンツを消去するまで保持され続けるものとする。また、ここでは、図３に記述された一連の処理は、１日に１回定期的に行われることと想定する。
【００２９】
まず、ＥＰＧ取得部１０１が今後２４時間分のＥＰＧを取得する（ステップＳ３１）。次に、録画推薦スコア計算部１０２が取得した各放送番組について録画推薦スコア（Ｒ）を計算する（ステップＳ３２）。もし、視聴推薦装置が自動録画機能を有していれば、ここで制御部１１１が自動録画のための処理を行う。
【００３０】
次に、至急視聴要求度計算部１０３が、取得した各放送番組について至急視聴緊急度（Ｉｍ）を計算する（ステップＳ３３）。次に、番組視聴期間計算部１０４が、取得した各放送番組について視聴期限指数（Ｅ）を計算する。まず、番組視聴期間計算部１０４は、取得したＥＰＧに含まれる全ての放送番組について、初期値として視聴期限指数（Ｅ）を１に設定する（ステップＳ３４）。番組視聴期間計算部１０４は、蓄積済及び録画中の蓄積コンテンツに関しては、上記した計算式を使用してＥを再計算する（ステップＳ３５）。
【００３１】
以上で、全放送番組及び全蓄積コンテンツ（すなわち、今後２４時間、録画中、蓄積済の番組）に関して録画推薦スコア（Ｒ）、至急視聴緊急度（Ｉｍ）、視聴期限指数（Ｅ）を計算することができたので、統合推薦リスト計算部１１０が、これらの組み合わせを基にして、視聴推薦スコア（Ｖ）を計算する（ステップＳ３６）。
【００３２】
なお、本実施形態の視聴推薦装置においては、時間に依存して変化する推薦スコアを計算する必要があるため、定期的にスコア（の一部）を再計算する手法と、推薦要求にあわせてオンデマンドでスコアを計算する手法が考えられる。上述した例においては、現在利用可能なハードウェアの性能や、一般的ユーザの視聴生活パタンからもっとも実現可能性の高いものとして１日ごとの定期計算を説明したが、高度なハードウェアが利用可能である場合などはオンデマンドでスコアを計算する方法をとってももちろん構わない。
【００３３】
以上に示した実施形態によれば、放送番組と蓄積コンテンツから、各コンテンツの特徴を考慮しつつ、ユーザにとって見るべきコンテンツを推薦することができる。本実施形態によれば、特に、各コンテンツを見るべき度合いが時間に依存して変化しうることを考慮して、ユーザが推薦放送番組または推薦蓄積コンテンツを要求した時刻に基づき推薦要求時点での推薦放送番組または推薦蓄積コンテンツを提示することができる。また、適切にコンテンツを消去することができるので、もはや視聴価値のなくなったコンテンツが大量に大容量ストレージに蓄積してシステムの有用性が低下するのを防ぐことができる。
【００３４】
したがって、本実施形態によれば、単に録画の支援をするのみならず、ユーザが視聴要求したときに視聴すべきコンテンツを提示することにより、ユーザの真の視聴満足度を向上させることができる。
【００３５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３６】
【図１】本発明の実施形態に係る視聴推薦装置のブロック図。
【図２】図１の視聴推薦装置をユーザが利用する場合の操作例を示すフローチャート。
【図３】図１の視聴推薦装置が統合視聴推薦リストを生成する場合の処理を示すフローチャート。
【符号の説明】
【００３７】
１０１…ＥＰＧ取得部、１０２…録画推薦スコア計算部、１０３…至急視聴要求度計算部、１０４…番組視聴期間計算部、１０５…蓄積番組用視聴推薦スコア計算部、１０６…視聴推薦スコアつき蓄積番組ＤＢ、１０７…消去推薦部、１０８…放送番組用視聴推薦スコア計算部、１０９…視聴推薦スコアつきＥＰＧ ＤＢ、１１０…統合推薦リスト計算部、１１１…制御部。
【図１】
2007074545.tif 000003
【図２】
2007074545.tif 000004
【図３】
2007074545.tif 000005